(57)【特許請求の範囲】
【請求項１】
カテーテル用の固定具であって、
頂面、底面、およびカテーテル挿入部位側からカテーテルを挿通可能に形成された開口を有し、前記カテーテル挿入部位を覆うようにして患者の皮膚に取り付けられるように構成された基部と、
前記開口を閉鎖可能な形状を有し、前記基部に、前記開口を開放する開位置と前記開口を閉鎖する閉位置との間で変位可能に取り付けられ、かつ前記カテーテルを、前記固定具に対して移動しないように位置固定可能に構成されたカバー部材と、
前記基部の前記底面から隆起し、前記開口を少なくとも部分的に取り囲むように延在し、当該固定具を前記患者の皮膚に固定したときに前記患者の皮膚に接触して前記カテーテル挿入部位からの漏洩を減少させるように構成されたリップと、
前記基部上に前記開口を取り囲むように取り付けられて設けられ、前記基部と共に、前記カテーテルの少なくとも一部をコイル状に巻回した状態で収容可能な環状の内部空間を画定するハウジングであって、前記ハウジングは、前記基部から立設された最外部の環状外周壁と、前記環状外周壁から前記基部の頂面に対して平行に前記開口に向かって延びる環状の頂壁とを含み、前記環状外周壁、前記環状の頂壁、および前記基部の頂面により前記環状の内部空間が画定され、前記環状の内部空間は、前記環状の頂壁の下でかつ前記基部の頂面の上側の環状の内部空間であり、前記カバー部材は、前記環状の頂壁に覆われないように前記環状外周壁の内側の前記環状の内部空間から径方向に離れた位置に配置される、該ハウジングとを含み、
前記ハウジングの一部に１つ以上のスロットが画定され、前記１つ以上のスロットは、前記カテーテルを前記ハウジングの外部から受容可能に構成され、かつ前記カテーテルの、前記固定具に対する移動を制限することを特徴とする固定具。
【請求項２】
前記カバー部材が、前記基部にヒンジ線でヒンジ結合されたことを特徴とする請求項１に記載の固定具。
【請求項３】
前記カバー部材が閉位置に位置したときに前記カバー部材を前記基部に係止するための係止機構をさらに含むことを特徴とする請求項２に記載の固定具。
【請求項４】
前記カバー部材が、前記カテーテルを受容可能に形成され、かつ前記カテーテルのルーメンの性能を損なうことなく前記カテーテルを摩擦係合するように構成された溝をさらに含むことを特徴とする請求項１に記載の固定具。
【請求項５】
前記リップが、前記基部を前記患者の皮膚に固定したときに、前記カテーテルの周りの前記患者の皮膚に接触し、かつそれを押圧してシールを形成し、前記カテーテル挿入部位からの漏洩を減少させるように、前記開口を取り囲むように設けられたことを特徴とする請求項１に記載の固定具。
【請求項６】
前記リップが、前記患者の皮膚に接触する末端が弓形である断面形状を有することを特徴とする請求項５に記載の固定具。
【請求項７】
前記ハウジングの前記１つ以上のスロットが、前記径方向に前記環状外周壁と前記頂壁の全体にわたって延びるように画定されることを特徴とする請求項１に記載の固定具。
【請求項８】
前記ハウジングが、９０度の角度を付けて離間配置された少なくとも３つのスロットをさらに含むことを特徴とする請求項７に記載の固定具。
【請求項９】
前記ハウジングが、前記基部と一体的に構成されていることを特徴とする請求項１に記載の固定具。
【請求項１０】
前記患者の皮膚に貼着するための接着性下面を有し、前記基部の前記底面に結合された取付パッドをさらに含むことを特徴とする請求項１に記載の固定具。
【請求項１１】
固定具アセンブリであって、
近位端、遠位端、およびルーメンを画定する壁部を有するカテーテルと、
固定具とを備え、
前記固定具が、
頂面、底面、およびカテーテル挿入部位側からカテーテルを挿通可能に形成された開口を有し、前記カテーテル挿入部位を覆うようにして患者の皮膚に取り付けられるように構成された基部と、
前記開口を閉鎖可能な形状を有し、前記基部に、前記開口を開放する開位置と前記開口を閉鎖する閉位置との間で変位可能に取り付けられ、かつ前記カテーテルを、前記固定具に対して移動しないように位置固定可能に構成されたカバー部材と、
前記基部の前記底面から隆起し、前記開口を少なくとも部分的に取り囲むように延在し、当該固定具を前記患者の皮膚に固定したときに前記患者の皮膚に接触して前記カテーテル挿入部位からの漏洩を減少させるように構成されたリップと、
前記基部上に前記開口を取り囲むように取り付けられて設けられ、前記基部と共に、前記カテーテルの少なくとも一部をコイル状に巻回した状態で収容可能な環状の内部空間を画定するハウジングであって、前記ハウジングは、前記基部から立設された最外部の環状外周壁と、前記環状外周壁から前記基部の頂面に対して平行に前記開口に向かって延びる環状の頂壁とを含み、前記環状外周壁、前記環状の頂壁、および前記基部の頂面により前記環状の内部空間が画定され、前記環状の内部空間は、前記環状の頂壁の下でかつ前記基部の頂面の上側の環状の内部空間であり、前記カバー部材は、前記環状の頂壁に覆われないように前記環状外周壁の内側の前記環状の内部空間から径方向に離れた位置に配置される、該ハウジングとを含み、
前記ハウジングの一部に１つ以上のスロットが画定され、前記１つ以上のスロットは、前記カテーテルを前記ハウジングの外部から受容可能に構成され、かつ前記カテーテルの、前記固定具に対する移動を制限することを特徴とする固定具アセンブリ。
【請求項１２】
前記カバー部材が、前記基部にヒンジ線でヒンジ結合されたことを特徴とする請求項１１に記載の固定具アセンブリ。
【請求項１３】
前記固定具が、前記カバー部材が閉位置に位置したときに前記カバー部材を前記基部に係止するための係止機構をさらに含むことを特徴とする請求項１２に記載の固定具アセンブリ。
【請求項１４】
前記カバー部材が、前記カテーテルを受容可能に形成され、かつ前記カテーテルのルーメンの性能を損なうことなく前記カテーテルを摩擦係合するように構成された溝をさらに含むことを特徴とする請求項１１に記載の固定具アセンブリ。
【請求項１５】
前記リップが、前記基部を前記患者の皮膚に固定したときに、前記カテーテルの周りの前記患者の皮膚接触し、かつそれを押圧してシールを形成し、前記カテーテル挿入部位からの漏洩を減少させるように、前記開口を取り囲むように設けられたことを特徴とする請求項１１に記載の固定具アセンブリ。
【請求項１６】
前記リップが、前記患者の皮膚に接触する末端が弓形である断面形状を有することを特徴とする請求項１５に記載の固定具アセンブリ。
【請求項１７】
前記固定具が、前記患者の皮膚に貼着するための接着性下面を有し、前記基部の前記底面に結合された取付パッドをさらに含むことを特徴とする請求項１１に記載の固定具アセンブリ。
【発明の詳細な説明】
【技術分野】
【０００１】
本発明は、概して医療カテーテルの分野に関し、特にカテーテル用の固定具に関する。
【背景技術】
【０００２】
様々な医療処置のために、カテーテルを使用して患者に流体を送達するまたは患者から流体を引き出すことがよく知られている。例えば、米国特許第７，９５９，６２３号明細書（特許文献１）には、様々な実施形態の注入カテーテルを使用して、ポンプからチューブを介して創傷部位に流体薬剤を送達する疼痛管理システムが記載されている。このようなシステムでは、通常はカテーテル・コネクタを使用して、カテーテルを様々な器具、例えばチューブ、流体貯蔵タンク、または他の流体送達装置などに接続する。
【０００３】
多くの場合、このようなカテーテルの使用は、長期の治療期間にわたって維持されなければならない。これらのカテーテルをテープで固定することは、周知の手法であった。しかしながら、ドレッシングテープの使用には、とりわけ、ドレッシングテープは頻繁に交換する必要があることからカテーテル挿入部位の周囲の皮膚が刺激され、それにより皮膚がカテーテルに癒着するという問題がある。この癒着は、カテーテルへの汚染物質の付着をもたらし、カテーテルの取り扱いを困難にする。
【０００４】
そこで、テープを過度に使用することなくカテーテルを患者に固定する固定具が開発されている。そのような器具の１つは、アメリカ国フロリダ州オスカラ所在のゼフォン・インターナショナル（Zefon International, Inc.）社製の「Ｇｒｉｐ−Ｌｏｋ（商標）」固定具である。この固定具は、患者の皮膚に貼着される接着ベース層を含む。カテーテル、またはカテーテルとコネクタとの組み合わせを、接着ベース層の頂面に結合された接着パッドに押し付ける。そして、Ｖｅｌｃｒｏ（商標）閉鎖層でカテーテル（または、カテーテルとコネクタとの組み合わせ）を被覆し、その閉鎖層を接着ベース層の頂面に結合させる。
【０００５】
米国特許第７，６３５，３５５号明細書（特許文献２）には、カテーテル・コネクタを患者の身体に固定するための医療ライン固定具が記載されている。この固定具は、患者の皮膚に貼着されるアンカーパッドと、該アンカーパッドの頂面に結合されたリテーナとを備える。リテーナは、ベース部材と、該ベース部材にヒンジ結合され、開位置およびラッチ閉位置間で変位可能なカバーとを含む。ベース部材およびカバーは、それぞれ、カバーの閉位置において互いに協同してチャンネルを形成する溝を有する。コネクタは、チャンネル内に受容される細長い本体部を有しており、コネクタが閉鎖されたリテーナ内に係合されることによりコネクタの軸方向の変位が抑制される。
【０００６】
そして、医療分野では、カテーテルを患者に不快感なく長期間固定するための新規で改良された固定具が絶えず求められている。本発明は、そのような固定具を提供する。
【先行技術文献】
【特許文献】
【０００７】
【特許文献１】米国特許第７，９５９，６２３号明細書
【特許文献２】米国特許第７，６３５，３５５号明細書
【発明の概要】
【課題を解決するための手段】
【０００８】
本発明の目的および利点は、その一部が以下の説明に記載されており、あるいは以下の説明から明らかであり、あるいは本発明の実施により学ぶことができる。
【０００９】
ある態様では、本発明は、カテーテル用の固定具に関する。本固定具は、カテーテルを挿通可能に形成された開口を有する基部と、開口を閉鎖可能な形状を有し、基部に取り付けられたカバー部材と、開口を少なくとも部分的に取り囲むように設けられたリップとを含む。基部は、頂面および底面を有し、カテーテル挿入部位を覆うようにして、患者の皮膚に取り付けられるように構成されている。基部の開口は、カテーテル挿入部位側からカテーテルを挿通可能に形成されている。カバー部材は、基部に、開口を閉鎖可能な形状を有し、開口を開放する開位置と開口を閉鎖する閉位置との間で変位可能に取り付けられている。さらに、カバー部材は、カテーテルを位置固定可能に構成されている。リップは、本固定具を患者の皮膚に固定したときに、カテーテル挿入部位からの漏出を減少させるように、基部の底面に、開口を取り囲むように設けられている。
【００１０】
さらなる実施形態では、カバー部材は、基部にヒンジ線でヒンジ結合される。さらなる実施形態では、本固定具は、係止機構を含み得る。そして、カバー部材は、閉位置に位置したときに、係止機構により基部に係止されるように構成される。さらに、カバー部材は、カテーテルを受容可能に形成された１つまたは複数の溝を含み得る。そして、溝は、カテーテルのルーメンの性能を損なうことなく、カテーテルを摩擦係合するように構成されている。
【００１１】
さらなる実施形態では、リップは、基部を患者の皮膚に固定したときに、カテーテルの周りの患者の皮膚を押圧してシールを形成し、カテーテル挿入部位からの漏洩を減少させるように、開口を取り囲むように設けられている。加えて、リップは、任意の適切な断面形状を有し得る。例えば、一実施形態では、リップは、アーチ状の断面形状を有する。
【００１２】
さらなる別の実施形態では、本固定具は、基部上に設けられたハウジングをさらに含む。そして、特定の実施形態では、ハウジングと基部とにより、カテーテルの少なくとも一部を収容可能な内部空間を画定することができる。さらに、ハウジングは、内部空間内にカテーテルをコイル状に巻回した状態で収容できるように構成される。さらなる実施形態では、ハウジングは、カテーテルを受容可能に構成された１つまたは複数のスロットをさらに含む。例えば、一実施形態では、ハウジングは、９０度の角度を付けて離間配置された少なくとも３つのスロットを含む。さらなる別の実施形態では、スロットは、任意の適切な距離を隔てて離間配置され得る。さらなる別の実施形態では、ハウジングは、外周壁と頂壁とをさらに含む。そして、外周壁と、頂壁と、基部の頂面とにより、カテーテルの少なくとも一部を収容可能な内部空間が形成される。
【００１３】
さらなる実施形態では、ハウジングは、基部と一体的に構成されるか、または基部に結合される別体部材として構成される。さらなる実施形態では、基部は、基部の底面に結合された取付パッドをさらに含む。取付パッドは、患者の皮膚に貼着するための接着性下面を有する。
【００１４】
さらなる態様では、固定具アセンブリが開示されている。固定具アセンブリは、カテーテルと、固定具とを含んでいる。カテーテルは、概して、近位端と、遠位端と、ルーメンを画定する壁部とを有する。固定具は、カテーテルを挿通可能に形成された開口を有する基部と、開口を閉鎖可能な形状を有し、基部に取り付けられたカバー部材と、開口を少なくとも部分的に取り囲むように設けられたリップとを含む。基部は、頂面および底面を有し、カテーテル挿入部位を覆うようにして、患者の皮膚に取り付けられるように構成されている。カバー部材は、基部に、開口を閉鎖可能な形状を有し、開口を開放する開位置と開口を閉鎖する閉位置との間で変位可能に取り付けられている。さらに、カバー部材は、カテーテルを位置固定可能に構成されている。リップは、固定具を患者の皮膚に固定したときに、カテーテル挿入部位からの漏出を減少させるように、基部の底面に、開口を取り囲むように設けられている。固定具アセンブリは、本明細書中で説明した任意の要素をさらに含み得ることを理解されたい。
【００１５】
このようなカテーテル固定具の様々な実施形態は、上記に記載されており、また以下に詳細に記載する。本発明の態様および利点は、以下の説明および添付の特許請求の範囲を参照することにより、より良く理解できるであろう。本明細書に援用され、その一部を形成する添付図面は、本発明の実施態様を示しており、本明細書の説明と併せて本発明の原理を説明する役割を果たす。
【図面の簡単な説明】
【００１６】
【図１】本発明の態様によるカテーテル固定具の一実施形態を示す斜視図であって、開位置の状態を示す
【図２】図１のカテーテル固定具の断面図
【図３】本発明の態様によるカテーテル固定具の別の実施形態を示す斜視図であって、閉位置の状態を示す
【図４】図３のカテーテル固定具の断面図
【図５】本発明の態様によるカテーテル固定具アセンブリの一実施形態を示す斜視図であって、開位置の状態を示す
【図６】図５のカテーテル固定具アセンブリの断面図
【図７】図５の実施形態の斜視図であり、閉位置の状態を示す
【図８】図７のカテーテル固定具アセンブリの断面図
【図９】カテーテル固定具アセンブリの別の実施形態の断面図
【発明を実施するための形態】
【００１７】
以下、図面に示された本発明の１つまたは複数の実施形態および実施例を詳細に説明する。それぞれの実施例および実施形態は、本発明を説明するために提示されたものであり、本発明を限定することを意図したものではない。例えば、一実施形態の一部として例示または説明された特徴を、別の実施形態と組み合わせて、さらなる実施形態を生成することもできる。本発明は、本発明の範囲および精神を逸脱しない限り、これらのおよび他の改変形態および変更形態を包含するものとする。
【００１８】
概して、本開示は、カテーテル挿入部位からの漏洩を防止するためにカテーテル挿入部位を覆うようにして、カテーテルを患者に対して固定するためのカテーテル固定具およびカテーテル固定具アセンブリを含む。より具体的には、本カテーテル固定具は、その患者側に、該カテーテル固定具を患者に対して固定したときにカテーテルの周りの皮膚を押圧してシールを形成するためのリップを含む。そして、リップは、カテーテル挿入部位からの漏出を防止するように構成される。加えて、本カテーテル固定具は、カテーテル挿入部位からの漏出またはカテーテル挿入部位から患者体内への汚染物質の侵入をさらに防止するためのカバー部材を含み得る。
【００１９】
添付図面を参照すると、図１−９は、本発明の態様によるカテーテル固定具１０およびカテーテル固定具アセンブリ５０を様々な視点から示す。より具体的には、図１−２は、開位置の状態にあるカテーテル固定具１０を示し、図３−４は、閉位置の状態にあるカテーテル固定具１０を示す。図５−６は、患者の皮膚に対して開位置の状態にあるカテーテル固定具アセンブリ５０を示し、図７−８は、患者の皮膚に対して閉位置の状態にあるカテーテル固定具アセンブリ５０を示す。図９は、コイル状に巻回されたカテーテルをその内部に収容したカテーテル固定具アセンブリ５０を示す。
【００２０】
添付図面に概して示すように、カテーテル固定具１０は、基部１２と、カバー部材１６と、リップ１５とを含む。基部１２は、頂面３０と、底面１７とを有する。底面１７は、カテーテル挿入部位３６を覆うようにして、患者の皮膚３４に取り付けられるように構成されている。加えて、基部１２は、カテーテル挿入部位３６から患者体外に延出するカテーテル３２を挿通可能に形成された開口１４を有する。基部１２および開口１４は、任意の適切な形状を有し得る。例えば、図示した実施形態では、基部１２は、略正方形の形状を有している。しかし、これは、単に例示を目的としたものである。さらなる実施形態では、基部１２は、長方形、楕円形、円形、または任意の他の種類の形状および構成を有し得る。同様に、開口１４は、カテーテル３２が挿通可能である限り、任意の適切な形状であってよく、これに限定されないが、正方形、長方形、三角形、円形、楕円形、または任意の他の形状であってよい。例えば、図示のように、開口１４は、略円形の形状を有し得る。
【００２１】
特に図２、図４、図６、および図８を参照して、リップ１５は、カテーテル挿入部位３６からの漏洩を減少させるように構成されている。図示のように、リップ１５は、開口１４を少なくとも部分的に取り囲み、かつ患者の皮膚と接触するように、基部１２の底面１７に設けられている。より具体的には、図６および図８を参照して、リップ１５は、カテーテル３２の周りの患者の皮膚３４を押圧するように患者の皮膚３４に対して適切な圧力を加え、それによりカテーテル３２とのシールを形成する。そして、リップ１５は、カテーテル挿入部位３６からの漏洩を減少させるように構成されている。
【００２２】
様々な実施形態では、リップ１５は、開口１４を完全に取り囲むか、または開口１４を部分的に取り囲む。さらなる実施形態では、リップ１５の外周形状は、円形（環状）、長方形、正方形、三角形、または他の任意の形状であり得る。加えて、リップ１５の外周形状は、開口１４の形状に応じて決定され得る。また、リップ１５は、カテーテルの周りの患者の皮膚３４を押圧することができるような、任意の適切な断面形状を有し得ることを理解されたい。例えば、図示した実施形態に示すように、リップ１５は、円形状またはアーチ状の断面形状を有しており、基部１２の開口１４を取り囲むように環状に延在している。さらなる実施形態では、リップ１５は、長方形または正方形の断面形状を有し得る。加えて、リップ１５は、患者の皮膚に対して適切な圧力を加えることができ、かつ患者に不快感を与えない任意の適切な材料から構成され得る。例えば、一実施形態では、リップは、ゴムまたはシリコン材料から構成される。
【００２３】
さらなる実施形態では、カバー部材１６は、カテーテル挿入部位３６を覆うことができるように開口１４を閉鎖可能な形状を有し、基部１２、ハウジング１８、またはカテーテル固定具１０の任意の適切な位置に、開位置（図１−２）と閉位置（図３−４）との間で変位可能に取り付けられる。例えば、図示した実施形態では、カバー部材１６は、基部１２に取り付けられている。さらなる実施形態では、図示のように、カテーテル固定具１０は、カバー部材１６が閉位置に位置したときにカバー部材１６を基部１２に固定するための係止機構２１を含み得る。そして、カバー部材１６は、閉位置に位置したときに、カテーテル挿入部位３６からの漏洩を防止するのに役立つ。カバー部材１６は、任意の適切な係止機構によって、基部１２に係止される。例えば、そのような係止機構としては、基部１２に形成された係止スロット２３と、それに係止可能なカバー部材１６から突出して形成されたフランジ２５とにより構成される係止機構が挙げられる。係止機構の別の例としては、カバー部材１６の一部と、基部１２の一部およびハウジング１８の一部の一方または両方との摩擦係合が挙げられる。加えて、カバー部材１６は、カテーテル挿入部位３６の上方で、開位置から閉位置に枢動できるように、基部１２にヒンジ線２２でヒンジ結合される。より具体的には、図示した実施形態では、ヒンジ線２２は、基部１２に形成されたフランジ間に設置された、カバー部材１６に設けられたロッド４４により画定される。なお、本カテーテル固定具１０のカバー部材１６の開位置および閉位置間での変位可能な構成は、任意の特定のヒンジ機構に限定されるものではなく、例えばリビングヒンジなどの任意の適切なヒンジ機構を含み得ることを理解されたい。
【００２４】
加えて、カバー部材１６は、カテーテル３２を患者に対して固定するように構成されている。例えば、一実施形態では、カバー部材１６は、カテーテル３２を受容し、カテーテル３２を患者に対して固定するように形成された１つまたは複数の溝１９を有し得る。例えば、図５−８に示すように、複数の溝１９が、そのうちの１つにカテーテル３２を嵌合させることができるように、カテーテル３２のチューブ部分と一致する形状に形成されている。そして、溝１９は、カテーテル３２のルーメン３８の性能を損なうことなく、カテーテル３２を摩擦係合するように構成されている。
【００２５】
引き続き添付図面を概して参照して、カテーテル固定具１０は、カテーテル３２を収容および／または格納できるように概して構成されたハウジング１８を含む。より具体的には、一実施形態では、ハウジング１８は、基部１２の頂面３０に開口１４を取り囲むように概ね構成されており、カテーテル３２の少なくとも一部を格納できるように構成された内部空間２０を画定する。例えば、一実施形態では、内部空間２０は、図９に示すようなコイル状に巻回されたカテーテル３２を収容できるように、略円筒状の形状を有する。より具体的には、ハウジング１８は、環状の外周壁２６と、それに対応する頂壁２８とを有する。図示した実施形態では、外周壁２６は、基部１２に対して実質的に垂直に立設されている。しかし、外周壁２６は、基部１２から傾斜して立設されていてもよい。加えて、頂壁２８は、カテーテル３２の挿入部分がコイル状に巻回されることを促進する内部空間２０を形成するべく外周壁２６に結合されている。これにより、外周壁２６、頂壁２８、および基部１２の頂面３０により、カテーテル３２を収容するための内部空間２０が形成される。また、これにより、図９に示すように、カテーテル固定具１０の使用時に、余分なカテーテルチューブを、内部空間２０内に収容および／または格納することができる。例えば、一実施形態では、カテーテル３２は、その固有の柔軟性および剛性により、内部空間２０内にコイル状に巻回され、収容されることが可能となる。なお、ハウジング１８は、これに限定しないが正方形、長方形、楕円形などの形状を含む任意の適切な形状および／または構成を有し得ることを理解されたい。さらなる実施形態では、ハウジング１８は、基部１２と一体に構成してもよいし、基部１２に結合される別体の部材として構成してもよい。別の実施形態では、基部１２を完全に省略し、ハウジング１８を、それ自体がカテーテル挿入部位３６を覆うようにして患者の皮膚３４に取り付けられ、かつカテーテル３２を収容できるように構成してもよい。
【００２６】
さらなる実施形態では、ハウジング１８はまた、カテーテル３２を患者に対して特定の方向に位置決めするためにカテーテル３２を受容できるように形成された少なくとも１つのスロット２４を含み得る。そして、スロット２４は、ハウジング１８の任意の位置に配され得る。さらなる実施形態では、ハウジング１８は、複数のスロット２４を含み得る。例えば、図５−８に示すように、ハウジング１８は、少なくとも３つのスロット２４を含む。さらに、各スロット２４は、互いに対して、任意の適切な距離を隔てて配置され得る。例えば、図示のように、各スロットは、約９０度の角度を付けて互いに離間配置されている。そして、カテーテル３２は、ハウジング１８内に収容されるとともに、患者に対して様々な位置に固定されることができる。このような特徴により、例えばカテーテル・コネクタや流体送達装置など他の部品に容易に結合可能なカテーテル固定具が提供される。
【００２７】
加えて、本カテーテル固定具１０は、カテーテル３２の簡単な取り付けおよび固定手段を提供する。例えば、カバー部材１６が開位置に位置しているとき、カテーテル３２は、カテーテル挿入部位３６側から基部１２の開口１４を挿通させることができる。そして、余分なカテーテルチューブは、ハウジング１８の内部空間２０内に、例えば巻回された状態で収容される。その後、カテーテル３２は、患者に対する所望の方向に応じて、１つのスロット２４に受容され、位置決めされる。その後、カバー部材１６を閉位置に変位させて、係止機構２１により固定する。そして、スロット２４とカテーテル３２との間での比較的密接な嵌合、並びに、カテーテル３２とカバー部材１６の溝１９との係合により、カテーテル３２は、テープを使用することなく患者に対して固定される。さらに、このカテーテル固定具１０によれば、部品間でのカテーテル３２の患者に対する相対変位はほとんど生じない。
【００２８】
特に、図５−図８を参照して、基部１２はまた、基部１２の底面１７に結合された取付パッド１３を含み得る。取付パッド１３は、カテーテル固定具１０を患者の皮膚３４に接着することができる、任意の適切な材料から構成され得る。例えば、一実施形態では、取付パッド１３は、カテーテル固定具１０を患者の皮膚３４に接着するための、発泡体製パッドであり得る。さらに、取付パッド１３は、患者の皮膚３４への取り付けのための接着性下面を有する。例えば、取付パッド１３は、当業者には理解されるように、剥離層により覆われた任意の適切な医療グレードの接着剤を含み得る。加えて、取付パッド１３は、カテーテル固定具１０を患者の皮膚３４に取り付けるのに適した任意の適切な形状および／または構成であり得る。例えば、一実施形態では、取付パッド１３は、基部１２の外周縁部に沿って配置され、リップ１５に空間を提供する。さらなる別の実施形態では、取付パッド１３は、基部１２の底面１７の一部のみを覆うか、または基部１２の底面１７の全体を覆う。別の実施形態では、基部１２の底面１７にリップ１５を設ける代わりに、取付パッド１３がリップ１５を含み得る。
【００２９】
本発明の態様はまた、カテーテル固定具アセンブリ５０（例えば、カテーテル３２および／またはカテーテル・コネクタを含む）の一部としてのカテーテル固定具１０の様々な実施形態を包含することをさらに理解されたい。これに関して、カテーテル固定具１０についての上述の説明は、本発明の態様に係るカテーテル固定具アセンブリ５０にも関連している。
【００３０】
本発明について、特定の好適な実施形態に関連付けて説明してきたが、本発明に包含される発明主題は、上述の特定の実施形態に限定されないことを理解されたい。むしろ、本発明の主題は、特許請求の範囲の請求項の範囲および精神の範囲内に含まれる、あらゆる代替形態、改変形態、および均等物を含むものである。
【図１】
0006527141.tif 000002
【図２】
0006527141.tif 000003
【図３】
0006527141.tif 000004
【図４】
0006527141.tif 000005
【図５】
0006527141.tif 000006
【図６】
0006527141.tif 000007
【図７】
0006527141.tif 000008
【図８】
0006527141.tif 000009
【図９】
0006527141.tif 000010